(57)【要約】【課題】狭小な展示販売スペースにおいて、購入者に実際に機能性を宣伝広告しながら筆記具を販売できるようにするものである。【解決手段】薄肉状の板体片からなるプレート本体（２）において、一方に、展示用の吊下部（３）を設けると共に、他方に、クリップ（８）の挿嵌により、その内周縁（４ａ）を弾性を持って変形させ、更に復元自在となってクリップを保持してなる係止保持孔（４）を配設してなる筆記具展示用商品吊下プレート（１）により、筆記具（６）を吊下しながら展示販売することを可能として、狭小な展示販売スペースでも適応でき、かつ筆記具の有する機能性を購入者に宣伝広告しつつしかもそれを直接確認させることができるものである。【選択図】図２
2007125190.tif 000002
【特許請求の範囲】
【請求項１】
薄肉状の板体片からなるプレート本体において、一方に、展示用の吊下部を設けると共に、他方に、筆記具のクリップの挿嵌により、その周縁を復元自在に弾性を持って変形させて該クリップを保持する係止保持孔を穿設してなる筆記具展示用商品吊下プレート。
【請求項２】
上記プレート本体の他方に穿設される係止保持孔を、三角形状あるいは方形状あるいは多角形状あるいは円形状あるいは楕円形状としてなる請求項１記載の筆記具展示用商品吊下プレート。
【請求項３】
上記プレート本体の他方に穿設される係止保持孔に対して、その内周縁に該係止保持部内方向に突出するように、方形状あるいは半円状の弾性を有する単数又は複数の係止舌片を一体に形成してなる請求項１又は２記載の筆記具展示用商品吊下プレート。
【請求項４】
上記プレート本体を、紙、樹脂又は金属からなるものとする請求項１乃至３記載の筆記具展示用商品吊下プレート。
【請求項５】
上記プレート本体の一方に設けられる吊下部を、方形状あるいは円形状の孔、又は鈎状としてなる請求項１乃至４記載の筆記具展示用商品吊下プレート。
【発明の詳細な説明】
【技術分野】
【０００１】
本発明は、商品、特に筆記具を展示販売する際に使用される商品展示用吊下プレートに関するものである。
【背景技術】
【０００２】
従来、店頭で筆記具を販売する際には、単にメーカー、インクの色、筆記軸の太さ等に応じて商品毎に区画されたスペースに対して、筆記具を垂直に詰め込み、又は平置きして展示販売することが一般的である。
【０００３】
また、搬送中における汚損や破損を防止すると共に、商品名、値段、出所表示、品質表示及び宣伝広告等のために、当該事項を記載した小袋内に個々の筆記具を封入して販売するものもある。
【０００４】
しかしながら、上記の方法により筆記具を展示販売する場合には、次の様な点で不便が生じる。即ち、単にメーカー、インクの色、筆記軸の太さ等に応じて商品毎に区画されたスペースに対して筆記具を垂直に詰め込み、又は平置きとして展示販売する場合、販売する筆記具の種類が多ければ多い程必然的に筆記具を展示販売するスペースが大きく必要となる。特に、棚板を設けて展示した場合、購入者がその棚板上に展示された筆記具を取り出せるよう、上下の棚板の間隔を十分に確保する必要がある上、該棚板によって影が生じることから、商品たる筆記具自体が棚板の影となって、購買意欲を減退させるものとなっていた。それでも、まだ筆記具を専門的に扱うことができる文房具店等ではある程度の広さまで展示販売スペースを確保して対応することができるものの、例えばコンビニエンスストアー等のように一部でしか文房具を扱わず、しかもそのための展示販売スペースもごく小さく限られてしまう場合には、一度に多種類の筆記具を展示することは事実上困難であった。
【０００５】
ところで、近年筆記具は外観のデザイン性ばかりでなく、筆記時における筆記具の機能性、例えば、筆記具のグリップに対して指が馴染みやすいように、該グリップ内にゲル状物質を内装したり、グリップ自体を非常に柔軟性に富む材質により成形して、筆記時の指への負担を軽減させようとするものが提案されている。
そのため、このような筆記具を購入する購入者は、当然のことながらその各筆記具の有する機能性に着目して購入を決定するものであり、このような機能性を重視した筆記具の展示販売に当たっては、販売者は購入者に対して、直接その機能性をアピールできるようにする必要がある。
即ち、展示販売する筆記具が個々に小袋に封入されていたのでは、購入者は、直接筆記具の機能性を試して、その性能を確認することができず、販売者は、購入者に対して筆記具の機能性をアピールすることができないという欠点がある。
【発明の開示】
【発明が解決しようとする課題】
【０００６】
解決しようとする問題点は、筆記具購買意欲の減退並びに小さな展示販売スペースへの対応とともに、購入者への筆記具の機能性の宣伝に際しての有効な手段がない点である。
【課題を解決するための手段】
【０００７】
そのため、筆記具を展示販売する際に、本発明である薄肉状の板体片からなるプレート本体において、一方に、展示用の吊下部を設けると共に、他方に、筆記具のクリップの挿嵌により、その周縁を復元自在に弾性を持って変形させて該クリップを保持する係止保持孔を穿設してなる筆記具展示用商品吊下プレートを使用してなるものである。
その結果、商品である筆記具は、該プレートの吊下部を利用して陳列棚において吊下することができるため、棚板が不要となって、棚板によって筆記具に対して影ができることなく、また、小さな展示販売スペースに対して効率よく商品を展示することができるようになる。
【０００８】
更に、該プレートによって、筆記具を小袋に封入することなく直接吊下するものであるから、購入者は筆記具の使い心地を直接体験することができるものとなる。即ち、筆記具の機能性を向上するべく、例えば筆記具のグリップを改良した場合、購入者は直接、筆記具のグリップを触りながら試し書きを行うことができ、販売者は筆記具のグリップにおける機能性を十分に購入者に宣伝することができる。その結果、広告から受けるイメージと実際の使い心地との解離が少なくなり、購入者の不満が生じにくくなるものである。
また、商品名や出所表示等を、該プレートに記載することで、従来それらの記載場所としても必要とされた、筆記具を封入した小袋を不要とすることができる。
【０００９】
その上、該プレートに対して、筆記具を吊下するにあたっては、筆記具のクリップを係止保持孔周縁の弾性によって係止するだけなので、容易に該プレートの取付作業を行うことができ、商品管理は容易になる。
【００１０】
その上、上記筆記具展示用商品吊下プレートにおいて、上記プレート本体の他方に穿設される係止保持孔を、特に三角形状あるいは方形状あるいは多角形状あるいは円形状あるいは楕円形状とし、そしてその内周縁に該係止保持孔内方向に突出するように、方形状あるいは半円状の弾性を有する単数又は複数の係止舌片を一体に形成することで、該プレートに吊下する筆記具はより確実に固定され、常に正面を向いて固定されるものとなるので、商品管理の作業性の向上の他、購入者に対して確実に宣伝広告を行うことができるようになる。
【発明の効果】
【００１１】
この発明の筆記具展示用商品吊下プレートは、筆記具を吊下して展示販売することを可能とするので、展示品たる筆記具に棚板による影をもたらすことがない上、小さな展示販売スペースしか確保できないコンビニエンスストアー等の店舗でも同時に多品種の展示販売を行うことができると共に、筆記具自体を吊下して直接触れることができるので、販売者が購入者に宣伝広告したい筆記具の機能性を十分に宣伝することができると同時に、それを購入者に直接体験させ確認させた上で購入させることができる。その上、展示販売にあたっての商品管理を容易とすることができる優れた効果を有するものである。
【実施例１】
【００１２】
図１において示すのは、この発明の実施例１である筆記具展示用商品吊下プレート（１）であり、該筆記具展示用商品吊下プレート（１）は、方形状で且つ弾性を有するように薄肉状の透明樹脂製板体片からなるプレート本体（２）において、一方に、展示用の吊下部（３）を設けると共に、他方に、先端に指への負担を軽くする極めて柔軟なグリップ（７）を具える筆記具（６）のクリップ（８）を挿嵌して係止する係止保持孔（４）を配設してなるものである。
なお、プレート本体（２）の形状は、円形状、不定形状の他、物品の外形を模した形状、例えば空豆状〔図６（イ）参照〕であったりしてもよく、該プレート本体（２）に使用される材質としては、ある程度弾性を有することが必要であるので、紙、樹脂又は金属等が使用できる。
また、プレート本体（２）の一方に設けられる展示用の吊下部（３）は、陳列棚に棚板に代わって配設される棒状の陳列体（１３）に対して挿嵌又は引掛することで吊下できるように、円形或いは方形の孔部〔図７（イ）参照〕、又は鈎形の係止体〔図７（ロ）参照〕とすることができる。
なお、該筆記具展示用商品吊下プレート（１）のプレート本体（２）における吊下部（３）と係止保持孔（４）との間に存在する空所（２ａ）は、商品名、品質表示、広告等に使用することができるものである。
【００１３】
そしてまた、この発明の実施例である筆記具展示用商品吊下プレート（１）を構成する該プレート本体（２）における係止保持孔（４）は、三角形状あるいは方形状あるいは多角形状あるいは円形状あるいは楕円形状としてもよい〔図１及び図５参照〕。
【００１４】
以上のように、この発明の実施例１である筆記具展示用商品吊下プレート（１）は構成されるので、該筆記具展示用商品吊下プレート（１）に対して筆記具のクリップ（８）を挿嵌、係止する際には次のようにするものである。
なお、該筆記具展示用商品吊下プレート（１）の係止保持孔（４）に対して挿嵌、係止するのは筆記具（６）のクリップ（８）であり、該筆記具（６）のクリップ（８）は、筆記具（６）の軸部後端において、該軸部後端に軸方向に装着される把持部（９）と、該把持部（９）に一体に形成される取付基部（１０）、及び該取付基部（１０）に対して支点（１１）を中心として回転自在となるクリップ本体（１２）から構成されるものである。そして、該プレート（１）の係止保持孔（４）をクリップ（８）に挿嵌、係止する際において、該係止保持孔（４）との関係で最も重要となる取付基部上端縁部（１０’）とクリップ本体後端上縁（１２’）との最短距離をＬとする〔図３参照〕。
そこで、まず該筆記具展示用商品吊下プレート（１）を構成するプレート本体（２）の係止保持孔（４）に対して、筆記具（６）のクリップ（８）を構成するクリップ本体（１２）の先端が、該プレート本体（２）の裏面方向から表面方向に突出するように挿嵌してなるものである〔図４（イ）参照〕。
そして、該プレート本体（２）の係止保持孔（４）に対して該クリップ本体（１２）を上記方向から挿嵌した後、プレート（１）をクリップ（８）の取付基部（１０）に至るまでクリップ本体（１２）に沿ってスライドさせ〔図４（ロ）参照〕、プレート本体（２）の係止保持孔（４）の一方の端縁（４ａ）と筆記具（７）のクリップ（８）の取付基部（１０）とを当接させるとともに、他方の端縁（４ａ）をクリップ本体後端上縁（１２’）に当接させる。この時、該プレート本体（２）の係止保持孔（４）における一方の端縁（４ａ）と他方の端縁（４ａ）との間隔は、上記クリップ本体（１２）の取付基部上端縁部（１０’）とクリップ本体後端上縁（１２’）との最短距離Ｌと比較して若干短めとなるよう設定されている。
次に、該クリップ（８）の取付基部（１０）と当接する該プレート（１）を、クリップ本体後端上縁（１２’）方向に引張しつつ、筆記具（６）の取付基部（１０）方向へ押圧すると、クリップ本体後端上縁（１２’）に当接している係止保持孔（４）の他方の端縁（４ａ）がその弾性によって変形することで〔図４（ハ）参照〕、該係止保持孔（４）に該クリップ（８）の取付基部（１０）が嵌入されることとなって、簡易且つ確実に該プレート（１）と筆記具（７）が一体に係止されるものとなる〔図４（ニ）参照〕。この時、クリップ（８）の取付基部（１０）の先端下縁（１０ａ）と後端下縁（１０ｂ）との直線距離は、前記クリップ本体（１２）の取付基部上端縁部（１０’）とクリップ本体後端上縁（１２’）との最短距離Ｌよりも短くなるよう設定されている。
その結果、該筆記具展示用商品吊下プレート（１）は、筆記具（７）のクリップ（８）より完全に外れることがなくなるものである。
以上より、筆記具（６）は、そのクリップ（８）と該プレート（１）との挿嵌係止により一体となり、該プレート（１）の吊下部（３）を陳列棚の陳列体（１３）に挿嵌、引掛することで、例えば販売者が最も宣伝広告したい筆記具（６）のグリップ（７）を購入者が直接触れることができるように展示販売することができるものとなる。
【００１５】
そして、上記筆記具展示用商品吊下プレート（１）を構成するプレート本体（２）に配設する係止保持孔（４）は、その形状により、該プレート（１）に吊下される筆記具（６）に対して特有の効果を発揮するものである。
即ち、該係止保持孔（４）の形状が方形状や多角形状である場合〔図１及び図６（イ）参照〕、該係止保持孔（４）の左右の長さを、クリップ（８）を挿嵌しうるだけの最小限の長さとすることにより、該係止保持孔（４）がクリップ（８）の取付基部（１０）に対して、その上下左右方向に僅かな空間を形成するだけで比較的強固に係止しうることとなる。その結果、該筆記具展示用商品吊下プレート（１）に筆記具（６）のクリップ（８）を一体に係止した上で、陳列棚の棒状の陳列体（１３）に挿嵌又は引掛するように吊下しても、吊下されている筆記具（６）は該プレート（１）とは別に揺動することがなくなり、商品管理のための陳列のみならず、購入者にも筆記具（６）を、簡易且つ確実に手に取ることができるようになる。
【００１６】
更に、図５（イ）及び（ロ）において示すように、該係止保持孔（４）の形状が円形や楕円形状である場合、筆記具（６）のクリップ（８）に対して該筆記具展示用商品吊下プレート（１）を一体に係止する際に、クリップ（８）に対して該係止保持孔（４）の位置が多少ずれても、また吊下した状態で左右方向に大きく揺動しても、自然に垂直方向に筆記具（６）が向くように自動的に係止保持孔（４）の内周縁（４ａ）をスライドしてその位置を修正するものである。従って、陳列棚の棒状の陳列体（１３）に対して、該プレート（１）を介して筆記具（６）を吊下すると、商品である筆記具（６）は常に整然と並べられているものとなり、商品管理作業を簡易且つ確実なものとし、更に購入者も確実に目的とする筆記具を手に取ることができるものである。
その上、該係止保持孔（４）が、特に楕円形状である場合〔図５（ロ）参照〕、該係止保持孔（４）の左右の幅が狭まっていることから、該係止保持孔（４）がクリップ（８）の取付基部（１０）に対して、その左右方向に僅かな空間を形成するだけで比較的強固に係止できるので、筆記具（６）が該プレート（１）に対して、別個に揺動することを抑止できる。その結果、該プレート（１）に取り付けられた筆記具（６）が筆記具展示用商品吊下プレート（１）に対して常に正面を向くようになり、展示販売を確実に行うことができるものとなる。
【００１７】
また、図５（ハ）において示すように、該係止保持孔（４）の形状が下方に頂点（４ｂ）を有する三角形状である場合、該筆記具展示用商品吊下プレート（１）を構成する係止保持孔（４）に対して筆記具（６）のクリップ（８）を一体に挿嵌、係止して、筆記具を該プレート（１）に対して吊下させると、該クリップ（８）の取付基部（１０）は自然と三角形状の係止保持孔（４）の頂点（４ｂ）である吊下方向にスライドすることとなる。その結果、三角形状の係止保持孔（４）の対向する端縁（４ｃ）が常に筆記具（６）の取付基部（１０）を左右方向から押勢するので、筆記具（６）は整然と並ぶようになると共に、該プレート（１）に対して単独で揺動して回転することはなく、常に正面を向くものとなって、展示販売を確実に行うことができるようになる。
【実施例２】
【００１８】
そして、図８において示すものは、この発明の実施例２である筆記具展示用商品吊下プレート（１’）である。この筆記具展示用商品吊下プレート（１’）は、実施例１の筆記具展示用商品吊下プレート（１）と同様に、方形状で且つ弾性を有するように薄肉状の透明樹脂製板体片からなるプレート本体（２’）において、一方に、展示用の吊下部（３）を設けると共に、他方に、先端に指への負担を軽くする極めて柔軟なグリップ（７）を具える筆記具（６）のクリップ（８）を挿嵌して係止する係止保持孔（４’）を配設してなるものである。
なお、プレート本体（２’）の形状は、円形状、不定形状の他、物品の外形を模した形状、例えば空豆状〔図６（ロ）参照〕であったりしてもよく、該プレート本体（２’）に使用される材質としては、ある程度弾性を有することが必要であるので、紙、樹脂又は金属等が使用できる。
またプレート本体（２’）の一方に設けられる展示用の吊下部（３）も同様に、陳列棚に配設される棒状の陳列体（１３）に対して挿嵌又は引掛することで吊下できるように、円形或いは方形の孔部、又は鈎形の係止体とすることができる〔図７（イ）、（ロ）参照〕。
【００１９】
ところで、この発明の実施例２の筆記具展示用商品吊下プレート（２’）は、実施例１の筆記具展示用商品吊下プレート（１）と異なり、プレート本体（２’）に配設される係止保持孔（４’）を、三角形状あるいは方形状あるいは多角形状あるいは円形状あるいは楕円形状とした上で、その内周縁（４ａ’）に該係止保持孔内方向に突出するように、方形状あるいは半円状の弾性を有する単数又は複数の係止舌片（５）を一体に形成してなるものである〔図８（イ）乃至（ニ）参照〕。
【００２０】
以上のように、この発明の実施例２の筆記具展示用商品吊下プレート（１’）は構成されるので、まず該筆記具展示用商品吊下プレート（１’）を筆記具のクリップに対して挿嵌、係止するにあたっては、上述のように実施例１の筆記具展示用商品吊下プレート（１）と同様にすることにより、該プレート（１’）と筆記具（６）のクリップ（８）とは一体に挿嵌、係止されるものである。そして、該プレート（１’）と筆記具（６）とが一体となることで、該プレート（１’）の吊下部（３）を陳列棚の陳列体（１３）に挿嵌、引掛することで、筆記具（６）は、例えば販売者が最も宣伝広告したい筆記具（６）のグリップ（７）を購入者が直接触れることができるように展示販売することができるものとなる。
【００２１】
その上、該係止保持孔（４’）の内周縁（４ａ’）に一体に形成された方形状あるいは半円状の弾性を有する単数又は複数の係止舌片（５）は、筆記具（６）のクリップ（８）への挿嵌、係止時に湾曲しながら、該クリップ（８）を構成するクリップ本体（１２）の裏面側に潜り込みつつ、該クリップ本体（１２）を裏面方向より支持することとなる。
その際、例えば図８の（ロ）に記載された実施例２の筆記具展示用商品吊下プレート（１’）においては、一方の係止舌片（５）とそれに対向して設けられた他方の係止舌片（５）の先端間の距離は、クリップ（８）の取付基部（１０）の先端下縁（１０ａ）と後端下縁（１０ｂ）との直線距離よりも短く設定されている〔図９参照〕。
その結果、展示販売する筆記具（６）は、該プレート（１’）に対して、決して揺動して回転することがなく、常に該プレート（１’）に対して正面を向くようになり、購入者に対して機能を宣伝広告しつつ販売することができるものとなる。
【００２２】
ところで、上記この発明の実施例２の筆記具展示用商品吊下プレート（１’）についての変形例としては、図１０に示すようなものがある。即ち、筆記具展示用商品吊下プレート（１”）を構成する例えば実施例１及び２と同様の、方形状や円形状等であって、弾性を有するように薄肉状の板体片からなるプレート本体（２”）において、一方に、展示用の吊下部（３）を設けると共に、他方に、筆記具（６）のクリップ（８）を挿嵌して係止する係止保持部（１４）を配設してなるものである。
ここで、該プレート本体（２”）に使用される材質としては、ある程度弾性を有することが必要であるので、紙、樹脂又は金属からなるものとする。
また、プレート本体（２”）の一方に設けられる展示用の吊下部（３）は、陳列棚に配設される棒状の陳列体（１３）に対して挿嵌又は引掛することで吊下できるように、円形或いは方形の孔部、又は鈎形の係止体としてなるものである〔図７（イ）及び（ロ）参照〕。
【００２３】
そして、この発明の実施例２の変形例においては、この発明の実施例である筆記具展示用商品吊下プレート（１”）を構成する該プレート本体（２”）における係止保持部（１４）が、十字形状、又は×形状にスリット（１４ａ）を配設してなるものである〔図１０（イ）及び（ロ）参照〕。
【００２４】
この発明の実施例２の変形例である筆記具展示用商品吊下プレート（１”）は以上のような構成を具えるので、該筆記具展示用商品吊下プレート（１”）に対して筆記具（６）を一体に、挿嵌、係止するためには次のようにする。
即ち、該筆記具展示用商品吊下プレート（１”）を構成するプレート本体（２”）の係止保持部（１４）のスリット（１４ａ）に対して、筆記具（６）のクリップ（８）を構成するクリップ本体（１２）先端を、支点（１１）を中心として回転させながら僅かに上昇させて、該プレート本体（１２）の裏面方向から表面方向に突出するように挿嵌する。
そして、該プレート本体（２”）の十字形状、又は×形状にスリット（１４ａ）を配設してなる係止保持部（１４）に対して該クリップ本体（１２）を挿嵌した後、プレート本体（２”）をクリップ（８）の取付基部（１０）に至るまでクリップ本体（１２）に沿ってスライドさせ、プレート本体（２”）の該係止保持部（１４）のスリット（１４ａ）により形成される三角形状のスリット片（１４ｂ）の一方と、筆記具（７）のクリップ（８）の取付基部（１０）とを当接させるとともに、他方のスリット片（１４ｂ）をクリップ本体後端上縁（１２’）に当接させる。この時、スリット（１４ａ）の先後方向への長さは、上記クリップ本体（１２）の取付基部上端縁部（１０’）とクリップ本体後端上縁（１２’）との最短距離Ｌと比較して若干短めとなるよう設定されている。
次に、該クリップ（８）の取付基部（１０）と当接する該プレート（１”）を、クリップ本体後端上縁（１２’）方向に引張しつつ、筆記具（６）の取付基部（１０）方向へ押圧すると、クリップ（８）の取付基部（１０）と当接する一方のスリット片（１４ｂ）と、クリップ本体後端上縁（１２’）に当接している他方のスリット片（１４ｂ）が、それぞれその弾性によって変形することで、該スリット（１４ａ）に筆記具（７）のクリップ（８）の取付基部（１０）が嵌入されることとなって、簡易且つ確実に該プレート（１”）と筆記具（７）が一体に係止されるものとなる。
なお、このとき係止保持部（１４）であるスリット（１４ａ）により形成されるスリット片（１４ｂ）は、プレート本体（２”）の該係止保持部（１４）をクリップ本体（１２）に挿嵌した際に、湾曲しながら変形して、クリップ本体（１２）の裏面に潜り込むものである。従って、該スリット片（１４ｂ）はクリップ本体（１２）を裏面方向から支持するものとなる。
その結果、該筆記具展示用商品吊下プレート（１”）は、筆記具（６）のクリップ（８）より完全に外れることがなくなり、筆記具（６）は該プレート（１”）において、正面を向くように固定されるものとなる。
【産業上の利用可能性】
【００２５】
この発明は、単に筆記具に留まらず、例えば機能性を高めた商品を展示販売する際に、購入者にその商品に直接触れさせることによって該機能を直接確認させることが可能となるので、あらゆる商品の販売に適用することができる。
【図面の簡単な説明】
【００２６】
【図１】この発明の実施例１の筆記具展示用商品吊下プレートの正面図である。
【図２】この発明の実施例１の筆記具展示用商品吊下プレートの使用状態を示す正面図である。
【図３】この発明の実施例１の筆記具展示用商品吊下プレートの取り付け対象となる筆記具の要部拡大側面図である。
【図４】この発明の実施例１の筆記具展示用商品吊下プレートを筆記具に取り付ける段階を示した模式図である。
【図５】この発明の実施例１の筆記具展示用商品吊下プレートにおける係止保持孔のバリエーションを示した正面図である。
【図６】この発明の実施例１の筆記具展示用商品吊下プレートのプレート本体形状のバリエーションを示した正面図である。
【図７】この発明の実施例１の筆記具展示用商品吊下プレートのプレート本体における吊下部のバリエーションを示した正面図である。
【図８】この発明の実施例２の筆記具展示用商品吊下プレートのバリエーションを示した正面図である。
【図９】この発明の実施例２の筆記具展示用商品吊下プレートを筆記具に取り付けた状態での側面図である。
【図１０】この発明の実施例２の筆記具展示用商品吊下プレートの変形例を示した正面図である。
【図１１】この発明の実施例２の筆記具展示用商品吊下プレートの変形例を筆記具に取り付けた状態での側面図である。
【符号の説明】
【００２７】
１、１’、１”    筆記具展示用商品吊下プレート
２、２’、２”    プレート本体
２ａ    空所
３    吊下部
４、４’    係止保持孔
４ａ、４ａ’    内周縁
４ｂ    頂点
４ｃ    （対向する）端縁
５    係止舌片
６    筆記具
７    グリップ
８    クリップ
９    把持部
１０    取付基部
１０’  取付基部上端縁部
１０ａ    （取付基部）先端下縁
１０ｂ    （取付基部）後端下縁
１１    支点
１２    クリップ本体
１２’    クリップ本体後端上縁
１３  陳列体
１４  係止保持部
１４ａ  スリット
１４ｂ  スリット片
【図１】
2007125190.tif 000003
【図２】
2007125190.tif 000004
【図３】
2007125190.tif 000005
【図４】
2007125190.tif 000006
【図５】
2007125190.tif 000007
【図６】
2007125190.tif 000008
【図７】
2007125190.tif 000009
【図８】
2007125190.tif 000010
【図９】
2007125190.tif 000011
【図１０】
2007125190.tif 000012
【図１１】
2007125190.tif 000013